(57)【要約】【課題】光ディスク再生装置において、装置内に光ディスクが残ったままになるのを防止でき、光ディスクの入っていないケースだけをレンタル店に返却するミスを防止できる。【解決手段】光ディスク再生装置は、ユーザによるリモコンを用いたトレイオープン操作がなされずに（＃１１でＮＯ）、光ディスクが挿入されていて（＃２１でＹＥＳ）、トレイ自動オープン機能が有効に設定されている状態で（＃２２でＹＥＳ）、タイマの計測時間がタイムアウト時間を超過すると（＃２３でＹＥＳ）、光ディスクからの情報の再生中であるか否かを判断する（＃２４）。情報の再生中でなければ（＃２４でＮＯ）、そのときに、ディスクトレイを開いて（＃１５）、光ディスクを排出し、情報の再生中であれば（＃２４でＹＥＳ）、警告を報知し（＃２５）、その後に情報の再生が終了したときに（＃２７でＹＥＳ）、ディスクトレイを開いて（＃１５）、光ディスクを排出する。【選択図】図４
2006216123.tif 000002
【特許請求の範囲】
【請求項１】
光ディスクを挿入、排出するための筐体に開閉自在に設けられたディスクトレイと、前記ディスクトレイを開閉するトレイ開閉装置と、前記ディスクトレイにより光ディスクが挿入されたことを検出するディスク検出手段と、前記ディスクトレイにより挿入された光ディスクから情報を読取って再生する情報再生手段と、本装置の動作を指示するために操作される操作手段と、前記ディスク検出手段の検出出力及び前記操作手段による指示操作に基づいて、前記情報再生手段による光ディスクからの情報の再生及び前記トレイ開閉装置による前記ディスクトレイの開閉を制御する制御手段とを備えた光ディスク再生装置において、
前記制御手段は、前記ディスクトレイを所定の条件を満たしたときに自動的に開くように制御するトレイ自動オープン機能手段と、前記トレイ自動オープン機能手段による制御を有効又は無効に設定するモード設定手段とを備え、
前記トレイ自動オープン機能手段による制御により前記ディスクトレイを自動的に開くための条件としてのタイムアウト時間を記憶するメモリと、
時間を計測するタイマとをさらに備え、
前記モード設定手段は、ユーザによる前記操作手段を用いたタイムアウト時間の設定操作を受けて、該タイムアウト時間を前記メモリに記憶して前記トレイ自動オープン機能手段による制御を有効に設定し、
前記トレイ自動オープン機能手段は、
該トレイ自動オープン機能手段による制御が有効に設定されたとき、光ディスクが既に挿入されていれば、そのときに前記タイマによる計時動作を開始し、光ディスクが未だ挿入されていなければ、その後に光ディスクが挿入されたときに前記タイマによる計時動作を開始し、
また、光ディスクが一旦排出された後に再度挿入されたとき、前記トレイ自動オープン機能が有効に設定されていれば、そのときに前記タイマによる計時動作を開始し、
ユーザによる前記操作手段を用いたトレイオープン操作がなされずに光ディスクが挿入されていて前記トレイ自動オープン機能が有効に設定されている状態で前記タイマの計測時間が前記メモリに記憶されているタイムアウト時間を超過すると、光ディスクからの情報の再生中でなければ、そのときに前記ディスクトレイを開いて光ディスクを排出し、光ディスクからの情報の再生中であれば、警告を報知し、その後に情報の再生が終了したときに前記ディスクトレイを開いて光ディスクを排出することを特徴とするトレイ自動オープン機能付き光ディスク再生装置。
【請求項２】
光ディスクを挿入、排出するための筐体に開閉自在に設けられたディスクトレイと、前記ディスクトレイを開閉するトレイ開閉装置と、前記ディスクトレイにより光ディスクが挿入されたことを検出するディスク検出手段と、前記ディスクトレイにより挿入された光ディスクから情報を読取って再生する情報再生手段と、本装置の動作を指示するために操作される操作手段と、前記ディスク検出手段の検出出力及び前記操作手段による指示操作に基づいて、前記情報再生手段による光ディスクからの情報の再生及び前記トレイ開閉装置による前記ディスクトレイの開閉を制御する制御手段とを備えた光ディスク再生装置において、
前記制御手段は、前記ディスクトレイを所定の条件を満たしたときに自動的に開くように制御するトレイ自動オープン機能手段を備え、
前記トレイ自動オープン機能手段による制御により前記ディスクトレイを自動的に開くための条件としてのタイムアウト時間を記憶するメモリと、
時間を計測するタイマとをさらに備え、
前記トレイ自動オープン機能手段は、
ユーザによる前記操作手段を用いたトレイオープン操作がなされずに光ディスクが挿入されている状態で前記タイマの計測時間が前記メモリに記憶されているタイムアウト時間を超過すると、前記ディスクトレイを開いて光ディスクを排出することを特徴とするトレイ自動オープン機能付き光ディスク再生装置。
【請求項３】
前記トレイ自動オープン機能手段は、前記タイマの計測時間が前記メモリに記憶されているタイムアウト時間を超過したとき、
光ディスクからの情報の再生中でなければ、そのときに前記ディスクトレイを開いて光ディスクを排出し、光ディスクからの情報の再生中であれば、警告を報知し、その後に情報の再生が終了したときに前記ディスクトレイを開いて光ディスクを排出する請求項２に記載のトレイ自動オープン機能付き光ディスク再生装置。
【発明の詳細な説明】
【技術分野】
【０００１】
本発明は、例えばＣＤやＤＶＤ等の光ディスクから情報を再生する光ディスク再生装置において、装置内に光ディスクが残ったままになるのを防止するために、光ディスクを挿入、排出するためのディスクトレイを自動的に開くようにしたトレイ自動オープン機能付き光ディスク再生装置に関するものである。
【背景技術】
【０００２】
従来から、光ディスク再生装置は、光ディスクを挿入、排出するために開閉されるディスクトレイを備えている。光ディスクは、ディスクトレイを開き、ディスクトレイに光ディスクを載置してディスクトレイを閉じることにより、光ディスク再生装置に挿入される。また、光ディスク再生装置に挿入されている光ディスクは、ディスクトレイを開くことにより排出される。
【０００３】
このような光ディスク再生装置は、リモコンによるトレイオープン操作がなされると、ディスクトレイを開き、また、リモコンによるトレイクローズ操作がなされると、ディスクトレイを閉じるようになっている。すなわち、光ディスク再生装置に挿入されている光ディスクは、ユーザが光ディスクを取出そうとする意志をもってリモコンによりトレイオープン操作を行うことによって、光ディスク再生装置から排出されるようになっている。
【０００４】
また、光ディスクを挿入した状態で電源をオフしたときに自動的に光ディスクを排出するモード、又は、光ディスクを挿入した状態で電源をオフしても自動的に光ディスクを排出しないモードに選択できるようにした光ディスク装置が知られている（例えば特許文献１参照）。また、排出キーの押下が維持された状態で故障している場合でも、挿入された光ディスクを排出できるようにするために、排出キーの押下が所定時間を越えて継続されていることを検出すると光ディスクの排出動作を行うようにした光ディスク装置が知られている（例えば特許文献２参照）。
【特許文献１】特開２０００−９０５３０号公報
【特許文献２】特開２００３−１９６９６８号公報
【発明の開示】
【発明が解決しようとする課題】
【０００５】
ところが、上述した従来の光ディスク再生装置においては、ユーザがリモコンによりトレイオープン操作を行わなければディスクトレイが開かないため、光ディスクから映像や音楽等の情報の再生を終えても、光ディスク処理装置内に光ディスクが残ったままになる。このため、例えば、光ディスクをレンタル店で借りた場合、光ディスクが光ディスク処理装置内に残っていることに気付かずに、光ディスクの入っていないケースだけをレンタル店に返却してしまうことがある。
【０００６】
従来の光ディスク再生装置では、このような返却ミスを防ぐには、光ディスクを返却するためにレンタル店に行く前にケースの中身を確認することを習慣づけるしか方法がなく、このような方法では、ケースの中身の確認をうっかり忘れることがある。光ディスクの入っていないケースだけをレンタル店に返却した場合には、光ディスクを取りに戻った後、再度レンタル店に行く必要があり、時間を無駄に費やしてしまうことになる。なお、上述した特許文献１及び特許文献２に開示の内容を適用したとしても、上記の課題を解決することはできない。
【０００７】
本発明は、上記課題を解決するためになされたものであり、光ディスクの再生を行った後に装置内に光ディスクが残ったままになるのを防止でき、光ディスクの入っていないケースだけをレンタル店に返却するミスを防止できる光ディスク再生装置を提供することを目的とする。
【課題を解決するための手段】
【０００８】
上記目的を達成するために請求項１の発明は、光ディスクを挿入、排出するための筐体に開閉自在に設けられたディスクトレイと、ディスクトレイを開閉するトレイ開閉装置と、ディスクトレイにより光ディスクが挿入されたことを検出するディスク検出手段と、ディスクトレイにより挿入された光ディスクから情報を読取って再生する情報再生手段と、本装置の動作を指示するために操作される操作手段と、ディスク検出手段の検出出力及び操作手段による指示操作に基づいて、情報再生手段による光ディスクからの情報の再生及びトレイ開閉装置によるディスクトレイの開閉を制御する制御手段とを備えた光ディスク再生装置において、制御手段は、ディスクトレイを所定の条件を満たしたときに自動的に開くように制御するトレイ自動オープン機能手段と、トレイ自動オープン機能手段による制御を有効又は無効に設定するモード設定手段とを備え、トレイ自動オープン機能手段による制御によりディスクトレイを自動的に開くための条件としてのタイムアウト時間を記憶するメモリと、時間を計測するタイマとをさらに備え、モード設定手段は、ユーザによる操作手段を用いたタイムアウト時間の設定操作を受けて、該タイムアウト時間をメモリに記憶してトレイ自動オープン機能手段による制御を有効に設定し、トレイ自動オープン機能手段は、該トレイ自動オープン機能手段による制御が有効に設定されたとき、光ディスクが既に挿入されていれば、そのときにタイマによる計時動作を開始し、光ディスクが未だ挿入されていなければ、その後に光ディスクが挿入されたときにタイマによる計時動作を開始し、また、光ディスクが一旦排出された後に再度挿入されたとき、トレイ自動オープン機能が有効に設定されていれば、そのときにタイマによる計時動作を開始し、ユーザによる操作手段を用いたトレイオープン操作がなされずに光ディスクが挿入されていてトレイ自動オープン機能が有効に設定されている状態でタイマの計測時間がメモリに記憶されているタイムアウト時間を超過すると、光ディスクからの情報の再生中でなければ、そのときにディスクトレイを開いて光ディスクを排出し、光ディスクからの情報の再生中であれば、警告を報知し、その後に情報の再生が終了したときにディスクトレイを開いて光ディスクを排出するものである。
【０００９】
請求項２の発明は、光ディスクを挿入、排出するための筐体に開閉自在に設けられたディスクトレイと、ディスクトレイを開閉するトレイ開閉装置と、ディスクトレイにより光ディスクが挿入されたことを検出するディスク検出手段と、ディスクトレイにより挿入された光ディスクから情報を読取って再生する情報再生手段と、本装置の動作を指示するために操作される操作手段と、ディスク検出手段の検出出力及び操作手段による指示操作に基づいて、情報再生手段による光ディスクからの情報の再生及びトレイ開閉装置によるディスクトレイの開閉を制御する制御手段とを備えた光ディスク再生装置において、制御手段は、ディスクトレイを所定の条件を満たしたときに自動的に開くように制御するトレイ自動オープン機能手段を備え、トレイ自動オープン機能手段による制御によりディスクトレイを自動的に開くための条件としてのタイムアウト時間を記憶するメモリと、時間を計測するタイマとをさらに備え、トレイ自動オープン機能手段は、ユーザによる操作手段を用いたトレイオープン操作がなされずに光ディスクが挿入されている状態でタイマの計測時間がメモリに記憶されているタイムアウト時間を超過すると、ディスクトレイを開いて光ディスクを排出するものである。
【００１０】
請求項３の発明は、請求項２に記載の光ディスク再生装置において、トレイ自動オープン機能手段は、タイマの計測時間がメモリに記憶されているタイムアウト時間を超過したとき、光ディスクからの情報の再生中でなければ、そのときにディスクトレイを開いて光ディスクを排出し、光ディスクからの情報の再生中であれば、警告を報知し、その後に情報の再生が終了したときにディスクトレイを開いて光ディスクを排出するものである。
【発明の効果】
【００１１】
請求項１の発明によれば、トレイ自動オープン機能が有効に設定されているとき、ユーザによるトレイオープン操作がなされずに光ディスクが挿入されている状態でタイマの計測時間がタイムアウト時間を超過すると、トレイ自動オープン機能によって自動的にディスクトレイが開いて光ディスクが排出される。ディスクトレイが開くと（又は開いていると）、ユーザは光ディスクが光ディスク再生装置内に残っていることに気付き易い。従って、光ディスクの再生を行った後に光ディスクの取出し忘れを防止でき、光ディスク再生装置内に光ディスクを残したまま光ディスクの入っていないケースだけをレンタル店に返却するミスを防止できる。これにより、光ディスクの返却ミスによる光ディスクを取りに戻って再度レンタル店に行くという手間をなくすことができ、時間を有効に使うことができる。
【００１２】
しかも、光ディスクの再生中にタイマの計測時間がタイムアウト時間を超過したときは、光ディスクの再生が終了してから、トレイ自動オープン機能によって自動的にディスクトレイが開いて光ディスクが排出される。従って、光ディスクの再生中は、トレイ自動オープン機能によってディスクトレイが開くことがなく、トレイ自動オープン機能によって光ディスクの再生が中断されることがないため、使い勝手がよいものとなる。さらに、トレイ自動オープン機能はユーザにより有効又は無効に設定され、また、タイムアウト時間はユーザにより任意に設定されるため、使い勝手がよいものとなる。
【００１３】
請求項２の発明によれば、ユーザによるトレイオープン操作がなされずに光ディスクが挿入されている状態でタイマの計測時間がタイムアウト時間が超過すると、トレイ自動オープン機能によって自動的にディスクトレイが開いて光ディスクが排出される。ディスクトレイが開くと（又は開いていると）、ユーザは光ディスクが光ディスク再生装置内に残っていることに気付き易い。従って、光ディスクの再生を行った後に光ディスクの取出し忘れを防止でき、光ディスク再生装置内に光ディスクを残したまま光ディスクの入っていないケースだけをレンタル店に返却するミスを防止できる。これにより、光ディスクの返却ミスによる光ディスクを取りに戻って再度レンタル店に行くという手間をなくすことができ、時間を有効に使うことができる。
【００１４】
請求項３の発明によれば、光ディスクの再生中にタイマの計測時間がタイムアウト時間を超過したときは、光ディスクの再生が終了してから、トレイ自動オープン機能によって自動的にディスクトレイが開いて光ディスクが排出される。従って、光ディスクの再生中は、トレイ自動オープン機能によってディスクトレイが開くことがなく、トレイ自動オープン機能によって光ディスクの再生が中断されることがないため、使い勝手がよいものとなる。
【発明を実施するための最良の形態】
【００１５】
以下、本発明を具体化した実施形態によるトレイ自動オープン機能付き光ディスク再生装置について図面を参照して説明する。図１は、トレイ自動オープン機能付き光ディスク再生装置の構成を示す。トレイ自動オープン機能付き光ディスク再生装置１は、例えばＣＤやＤＶＤ等の光ディスク２から映像や音楽等の情報を再生する装置であり、光ディスク再生装置１内に光ディスク２が残ったままになるのを防止するために、光ディスク２を挿入、排出するためのディスクトレイ３を自動的に開くようにするトレイ自動オープン機能を備えている。
【００１６】
光ディスク再生装置１は、光ディスク２を挿入、排出するためのディスクトレイ３と、光ディスク再生装置１の各種動作を赤外線信号の送信により指示するためにユーザにより操作される操作手段であるリモコン４と、リモコン４から送信される赤外線信号を受信するリモコン受信部５と、リモコン４による指示内容や光ディスク再生装置１の動作状況等を表示する表示部６とを備える。
【００１７】
ディスクトレイ３は、光ディスク再生装置１の筐体７に、フロントパネル８の前方に開閉自在に設けられている。リモコン４は、光ディスク２からの情報の再生、ディスクトレイ３の開閉、トレイ自動オープン機能の設定等の動作を指示するための各種操作キーを備えており、各種操作キーが操作されることにより、その操作に対応付けられた赤外線信号を送出する。リモコン受信部５及び表示部６は、光ディスク再生装置１のフロントパネル８に設けられている。
【００１８】
図２は、光ディスク再生装置１の電気的ブロック構成を示す。光ディスク再生装置１は、上述の構成に加え、光ディスク再生装置１を制御するためのＣＰＵ等からなる制御部１１と、トレイ開閉装置１２と、ディスクセンサ１３と、ディスク着脱装置１４と、スピンドルモータ１５と、光ヘッド１６と、復号処理部１７と、信号出力部１８と、ＯＳＤ処理部１９と、メモリ２０と、タイマ２１と、ＲＯＭ２２とを備える。
【００１９】
リモコン４は、上述のように、各種操作キーが操作されることにより、その操作に対応付けられた赤外線信号を送出する。リモコン受信部５は、リモコン４から送出される赤外線信号を受信して電気信号に変換し、リモコン４の操作に対応する信号を制御部１１へ出力する。表示部６は、制御部１１による制御のもと、リモコン４による指示内容や光ディスク再生装置１の動作状況等を表示する。
【００２０】
トレイ開閉装置１２は、ディスクトレイ３を開閉させるための開閉機構、及び開閉機構を駆動するためのモータ等によりにより構成されており、制御部１１による制御のもと、ディスクトレイ３を開閉させる。光ディスク２は、ディスクトレイ３の開閉により、挿入、排出される。ディスクセンサ１３は、ディスクトレイ３により挿入された光ディスク２を検出し、その検出信号を制御部１１へ出力する。
【００２１】
ディスク着脱装置１４は、光ディスク２をスピンドルモータ１５に着脱するものであり、スピンドルモータ１５を昇降させるための昇降機構、及び昇降機構を駆動するためのモータ等によりにより構成されている。ディスク着脱装置１４は、制御部１１による制御のもと、スピンドルモータ１５を上昇させることにより、ディスクトレイ３上にある光ディスク２をスピンドルモータ１５に装着し、また、スピンドルモータ１５を下降させることにより、スピンドルモータ１５に装着されている光ディスク２をディスクトレイ３上に取外す。スピンドルモータ１５は、制御部１１による制御のもと回転駆動され、装着された光ディスク２を回転させる。
【００２２】
光ヘッド１６は、制御部１１による制御のもと、光ディスク２の所定記録エリアに光を照射し、その反射光を受光して、光ディスク２に記録されている記録データを読取り、その読取信号を制御部１１へ出力する。復号処理部１７は、制御部１１による制御のもと、光ヘッド１６から出力される読取信号を復号処理して、映像をディスプレイ（不図示）で再生するための映像信号、及び音声をスピーカ（不図示）で再生するための音声信号を生成する。光ヘッド１６及び復号処理部１７により、光ディスク２から情報を読取って再生する情報再生手段が構成されている。
【００２３】
信号出力部１８は、制御部１１による制御のもと、復号処理部１７にて生成された映像信号及び音声信号を信号出力端子１８ａを介してディスプレイ及びスピーカに出力する。これにより、光ディスク２に記録されている映像及び音声がディスプレイ及びスピーカにて再生される。
【００２４】
ＯＳＤ処理部１９は、制御部１１による制御のもと、ディスプレイにオンスクリーン画像を表示するためのオンスクリーン表示信号を、復号処理部１７にて生成された映像信号に重畳する。これにより、光ディスク２からの再生映像にオンスクリーン画像が重ねられた映像がディスプレイに表示される。
【００２５】
メモリ２０は、制御部１１による制御のもと、トレイ自動オープン機能によりディスクトレイ３を自動的に開くための条件としてのタイムアウト時間を記憶する。また、メモリ２０は、リモコン４による指示内容やトレイ自動オープン機能の設定画面等のオンスクリーン画像を生成するためのグラフィックスデータ等を記憶している。タイマ２１は、制御部１１による制御のもと、時間を計測する。ＲＯＭ２２は、制御部１１の動作プログラムを格納している。
【００２６】
制御部１１は、リモコン受信部５からの出力信号を基にリモコン４の操作による指示内容を判断すると共に、ディスクセンサ１３からの検出出力を基に光ディスク２の挿入有無を判断し、リモコン４の操作及び光ディスク２の挿入状況に基づいて、光ディスク２からの情報の再生動作、ディスクトレイ３の開閉動作等、光ディスク再生装置１の各種動作を制御する。
【００２７】
制御部１１は、ユーザによるリモコン４を用いたトレイ自動オープン機能の設定操作を受けて、トレイ自動オープン機能を有効又は無効にモード設定し、トレイ自動オープン機能を有効に設定する際には、ユーザによるリモコン４を用いたタイムアウト時間の設定操作を受けて、そのタイムアウト時間をメモリ２０に記憶する。そして、制御部１１は、トレイ自動オープン機能が有効に設定されているときに、タイマ２１の計測時間がメモリ２０に記憶されているタイムアウト時間を超過したことを条件として、ディスクトレイ３を自動的に開く。また、制御部１１は、トレイ自動オープン機能が有効又は無効の何れに設定されているときでも、ユーザによるリモコン４を用いたトレイオープン指示操作を受けて、ディスクトレイ３を開く。
【００２８】
図３、図４は、上記光ディスク再生装置１のトレイ自動オープン機能の設定動作を含むディスクトレイ３の開閉動作のフローチャートを示す。まず、制御部１１は、リモコン４によりトレイ自動オープン機能の設定指示操作がなされたか否かを判断する（＃１）。
【００２９】
リモコン４によりトレイ自動オープン機能の設定指示操作がなされた場合（＃１でＹＥＳ）、制御部１１は、トレイ自動オープン機能を設定するための設定画面をディスプレイにオンスクリーン画像により表示する（＃２）。ここで、ユーザは、ディスプレイに表示される設定画面を見ながらリモコン４を操作し、トレイ自動オープン機能を有効に設定する場合は、ディスクトレイ３を自動オープンするためのタイムアウト時間の入力操作を行い、トレイ自動オープン機能を無効に設定する場合は、既に入力されているタイムアウト時間の消去操作を行う。なお、タイムアウト時間は、例えば１時間単位で任意に入力される。
【００３０】
リモコン４によりタイムアウト時間の入力操作がなされると（＃３でＹＥＳ）、制御部１１は、その入力されたタイムアウト時間をメモリ２０に記憶して、トレイ自動オープン機能を有効に設定し（＃４）、タイマ２１の計測時間をクリアする（＃５）。このとき、光ディスク２が既に挿入されていれば（＃６でＹＥＳ）、制御部１１は、直ぐに、すなわちトレイ自動オープン機能を有効に設定したのと同時に、タイマ２１による計時動作を開始する（＃７）。そして、制御部１１は、トレイ自動オープン機能を設定するための設定画面の表示を終了する（＃８）。なお、光ディスク２が挿入されていなければ（＃６でＮＯ）、タイマ２１による計時動作を開始せずに、設定画面の表示を終了する（＃８）。
【００３１】
一方、リモコン４によりタイムアウト時間の消去操作がなされると（＃９でＹＥＳ）、制御部１１は、メモリ２０に既に記憶されているタイムアウト時間を消去して、トレイ自動オープン機能を無効に設定し（＃１０）、そして、トレイ自動オープン機能を設定するための設定画面の表示を終了する（＃８）。
【００３２】
上記＃８の処理の後、及び上記＃１でＮＯの場合、制御部１１は、リモコン４により、すなわちユーザによりディスクトレイ３を開く指示操作がなされたか否かを判断する（＃１１）。
【００３３】
リモコン４によりディスクトレイ３を開く指示操作がなされた場合（＃１１でＹＥＳ）、光ディスク２が挿入されていて（＃１２でＹＥＳ）、トレイ自動オープン機能が有効に設定されていれば（＃１３でＹＥＳ）、制御部１１は、タイマ２１の計測時間をクリアし（＃１４）、ディスクトレイ３を開く（＃１５）。
【００３４】
なお、上記＃１１でＹＥＳの後、光ディスク２が挿入されていないか（＃１２でＮＯ）、又は、トレイ自動オープン機能が無効に設定されていれば（＃１３でＮＯ）、制御部１１は、タイマ２１の計測時間をクリアすることなく、ディスクトレイ３を開く（＃１５）。これは、光ディスク２が挿入されていない場合、及びトレイ自動オープン機能が無効に設定されている場合には、タイマ２１の計時動作が行われていないためである。
【００３５】
ディスクトレイ３が開いている状態で、リモコン４によりディスクトレイ３を閉じる指示操作がなされると（＃１６でＹＥＳ）、制御部１１は、ディスクトレイ３を閉じる（＃１７）。このとき、光ディスク２が挿入されていて（＃１８でＹＥＳ）、トレイ自動オープン機能が有効に設定されていれば（＃１９でＹＥＳ）、制御部１１は、タイマ２１による計時動作を開始し（＃２０）、そして、上記＃１以降の処理を繰り返す。これにより、上記＃４でトレイ自動オープン機能を有効に設定したときに光ディスク２が挿入されていなかった場合には、その後に光ディスク２が挿入されたときにタイマ２１による計時動作が開始されることになる。また、光ディスク２が一旦排出されて再度挿入されたときにトレイ自動オープン機能が有効に設定されている場合にも、タイマ２１による計時動作が開始されることになる。
【００３６】
なお、上記＃１７でディスクトレイを閉じた後、光ディスク２が挿入されていないか（＃１８でＮＯ）、又は、トレイ自動オープン機能が無効に設定されていれば（＃１９でＮＯ）、制御部１１は、タイマ２１による計時動作を開始せずに、上記＃１以降の処理を繰り返す。これは、光ディスク２が挿入されていない場合、及びトレイ自動オープン機能が無効に設定されている場合には、トレイ自動オープン機能により自動的にディスクトレイ３を開くことがなく、タイマ２１の計時動作を必要としないためである。
【００３７】
一方、リモコン４によりディスクトレイ３を開く指示操作がなされない場合（＃１１でＮＯ）、制御部１１は、光ディスク２が挿入されていて（＃２１でＹＥＳ）、トレイ自動オープン機能が有効に設定されている状態で（＃２２でＹＥＳ）、タイマ２１の計測時間がメモリ２０に記憶されているタイムアウト時間を超過すると（＃２３でＹＥＳ）、光ディスク２からの情報の再生中であるか否かを判断する（＃２４）。
【００３８】
そして、光ディスク２からの情報の再生中でなければ（＃２４でＮＯ）、制御部１１は、そのときにタイマ２１の計測時間をクリアして（＃１４）ディスクトレイ３を開き（＃１５）、上記＃１６以降の処理を行う。また、光ディスク２からの情報の再生中であれば（＃２４でＹＥＳ）、制御部１１は、そのときにタイムアウト時間を超過した旨の警告をディスプレイにオンスクリーン画像により表示し（＃２５）、その後、リモコン４により、すなわちユーザによりディスクトレイ３を閉じる指示操作がなされたとき（＃２６でＹＥＳ）、又は、光ディスク２からの情報の再生が終了したときに（＃２７でＹＥＳ）、タイマ２１の計測時間をクリアして（＃１４）ディスクトレイ３を開き（＃１５）、上記＃１６以降の処理を行う。
【００３９】
なお、上記＃１１でＮＯの後、光ディスク２が挿入されていないか（＃２１でＮＯ）、トレイ自動オープン機能が無効に設定されているか（＃２２でＮＯ）、又は、タイマ２１の計測時間がメモリ２０に記憶されているタイムアウト時間を超過していないときは（＃２３でＮＯ）、制御部１１は、上記＃１以降の処理を繰り返す。
【００４０】
このような構成の光ディスク再生装置１によれば、ユーザによるリモコン４を用いた操作によって、トレイ自動オープン機能が有効又は無効に設定され、また、トレイ自動オープン機能が有効に設定されるときには、ユーザによるリモコン４を用いた操作によって、ディスクトレイ３を自動的に開くための条件としてのタイムアウト時間が設定される。
【００４１】
そして、トレイ自動オープン機能が有効に設定されているとき、光ディスク２が挿入されている時間がタイマ２１により計測され、タイマ２１の計測時間すなわちユーザによるトレイオープン操作がなされずに光ディスク２が挿入されている時間がタイムアウト時間を超えると、ディスクトレイ３が自動的に開いて光ディスク２が排出される。しかも、光ディスク２の再生中にタイマ２１の計測時間がタイムアウト時間を超えたときは、光ディスク２の再生が終了してから、トレイ自動オープン機能によって自動的にディスクトレイ３が開いて光ディスク２が排出される。
【００４２】
なお、タイマ２１による光ディスク２の挿入されている時間の計測は、トレイ自動オープン機能が有効に設定されたときに光ディスク２が既に挿入されていれば、そのときに開始され、トレイ自動オープン機能が有効に設定されたときに光ディスク２が未だ挿入されていなければ、その後に光ディスク２が挿入されたときに開始される。また、トレイ自動オープン機能が有効に設定されているときは、光ディスク２を挿入する度に、タイマ２１の計測時間がリセットされて、タイマ２１による時間の計測が再開される。
【００４３】
このように、上記構成の光ディスク再生装置１によれば、トレイ自動オープン機能が有効に設定されているとき、光ディスク２が挿入されている時間がタイムアウト時間を超過すると、トレイ自動オープン機能によって自動的にディスクトレイ３が開いて光ディスク２が排出される。ディスクトレイ３が自動的に開くと（又は自動的に開いていると）、ユーザは光ディスク２が光ディスク再生装置１内に残っていることに気付き易い。従って、光ディスク２の再生を行った後に光ディスク２の取出し忘れを防止でき、光ディスク再生装置１内に光ディスク２を残したまま光ディスク２の入っていないケースだけをレンタル店に返却するミスを防止できる。これにより、光ディスク２の返却ミスによる光ディスク２を取りに戻って再度レンタル店に行くという手間をなくすことができ、時間を有効に使うことができる。
【００４４】
しかも、光ディスク２の再生中は、トレイ自動オープン機能によってディスクトレイ３が開くことがなく、トレイ自動オープン機能によって光ディスク２の再生が中断されることがないため、使い勝手がよいものとなる。さらに、トレイ自動オープン機能はユーザにより有効又は無効に設定され、また、タイムアウト時間はユーザにより任意に設定されるため、使い勝手がよいものとなる。
【００４５】
なお、本発明は、上記実施形態の構成に限られず、種々の変形が可能である。例えば、上記実施形態において、タイマ２１の計測時間がタイムアウト時間を超過したときに光ディスク２からの情報の再生中であった場合、タイムアウト時間を超過した旨の警告（図４に示す＃２５の処理）は必ずしも行う必要はない。タイマ２１による時間の計測は、光ディスク２が挿入されたときを起点として計測を開始する以外に、例えば、光ディスク２から情報の再生を開始したときや、光ディスク２からの情報の再生を終了したときを起点として計測を開始するようにしてもよい。これらの場合、光ディスク２から情報の再生を開始してからディスクトレイ３が開かれることなくタイムアウト時間を超過したとき、又は、光ディスク２からの情報の再生を終了してからディスクトレイ３が開かれることなくタイムアウト時間を超過したときに、トレイ自動オープン機能によりディスクトレイ３が自動的に開かれることになる。タイムアウト時間の設定は、１時間単位に限られず、分単位、秒単位で設定できるようにしてもよい。
【図面の簡単な説明】
【００４６】
【図１】（ａ）は本発明の一実施形態に係る光ディスク再生装置の概略構成を示すディスクトレイを閉じた状態の斜視図、（ｂ）は同光ディスク再生装置のディスクトレイを開いた状態の斜視図。
【図２】同光ディスク再生装置の構成を示す電気的ブロック構成図。
【図３】同光ディスク再生装置のトレイ自動オープン機能の設定動作を含むディスクトレイの開閉動作を示すフローチャート。
【図４】同光ディスク再生装置のトレイ自動オープン機能の設定動作を含むディスクトレイの開閉動作を示すフローチャート。
【符号の説明】
【００４７】
１    光ディスク再生装置
２    光ディスク
３    ディスクトレイ
４    リモコン
１１    制御部
１２    トレイ開閉装置
１３    ディスクセンサ
１４    ディスク着脱装置
１５    スピンドルモータ
１６    光ヘッド
１７    復号処理部
１９    ＯＳＤ処理部
２０    メモリ
２１    タイマ
【図１】
2006216123.tif 000003
【図２】
2006216123.tif 000004
【図３】
2006216123.tif 000005
【図４】
2006216123.tif 000006